(57)【要約】【課題】冷蔵庫のドア構造に関し、スイッチ部動作を軽く操作するとともに、ドア取り付け面に凹形状を形成して、スイッチ部が飛び出すこともなくデザイン的にもすっきりさせる。【解決手段】ドア１０に設けたスイッチ部１２にシートスイッチ１３を使い押しボタンスイッチより広範囲で、軽く操作するとともに、ドア１０への取り付け面に凹部２０の形状を形成することによって、スイッチ部１２が飛び出すこともなくデザイン的にもすっきりとしたドア１０を提供するものである。【選択図】図２
2006064243.tif 000002
【特許請求の範囲】
【請求項１】
冷蔵庫本体と、この本体の前面に回転自在に取り付けたドアと、このドアを開放するための駆動機構と、この駆動機構を起動させるためのスイッチ部と、このスイッチ部の作動にシートスイッチを使うことを特徴とした冷蔵庫のスイッチ装置。
【請求項２】
前記スイッチ部は、スイッチ外郭部と、シートスイッチと、可動ボタン部からなり、可動ボタン部の裏面にスイッチ操作部を設け、可動ボタン部と連動してシートスイッチを押すことを特徴とした請求項１の冷蔵庫のスイッチ装置。
【請求項３】
前記スイッチ外郭部は、ケースＡと、ケースＢで箱型に組み立てられたことを特徴とした請求項２の冷蔵庫のスイッチ装置。
【請求項４】
前記スイッチ外郭部より、スプリング性のあるスプリング部を可動ボタン部に当設させたことを特徴とする請求項３の冷蔵庫のスイッチ装置。
【請求項５】
前記スイッチ部は、ドアに取り付けられ、ドアへの取り付け部に凹部を設けたことを特徴とした請求項２の冷蔵庫のスイッチ装置。
【請求項６】
前記凹部は、ドア表面のパネルの穴と、ケースＣを取り付けることで、構成しスイッチ外郭部の固定部で、取り付けられたことを特徴とした請求項５の冷蔵庫のスイッチ装置。
【請求項７】
前記スイッチ部を電気的につなぐリード線と、リード線のジョイント部と、スイッチ外郭部にシートスイッチのジョイント部を設け凹部内にて、結線をすることを特徴とする請求項５の冷蔵庫のスイッチ装置。
【発明の詳細な説明】
【技術分野】
【０００１】
本発明は、冷蔵庫のスイッチ装置に関するものである。
【背景技術】
【０００２】
従来より、電動ドアを備えた冷蔵庫には開放のためのスイッチを備えている（例えば、特許文献１参照）。
【０００３】
図４、５は、特許文献１に記載された従来の冷蔵庫のスイッチ装置を示すものである。
【０００４】
上記構成において、動作を説明する。冷蔵庫本体１と、この本体の前面に回転自在に取り付けられたドア２と、このドアを開放するための駆動機構３と、ドアに取り付けられたハンドル部４からなり、このハンドル部は、ハンドル５と、ケース６と、押しボタンスイッチ７と、スイッチ動作部８で構成される。
【特許文献１】特開２００２−９３２８１号公報
【発明の開示】
【発明が解決しようとする課題】
【０００５】
しかしながら、上記従来の構成では、ハンドルのどこを操作しても押しボタンスイッチが作動するようにさせるために、スイッチ動作部が複雑な構造になり、さらに、押しボタンスイッチを動作させるためのストロークが必要になり、動作も重くなってしまうという課題を有していた。
【０００６】
本発明は、上記従来の課題を解決するもので、スイッチ動作部を簡単な構成にするとともに、軽くスイッチを可動させるものである。
【課題を解決するための手段】
【０００７】
上記従来の課題を解決するために、本発明の冷蔵庫のスイッチ装置は、冷蔵庫本体と、この本体の前面に回転自在に取り付けたドアと、このドアを開放するための駆動機構と、この駆動機構を起動させるためのスイッチ部と、このスイッチ部の作動にシートスイッチを使うものである。
【０００８】
これによって、押しボタンスイッチより広範囲で、軽く操作することができる。
【０００９】
また、本発明の冷蔵庫のスイッチ装置は、スイッチ部を、スイッチ外郭部と、シートスイッチと、可動ボタン部からなり、可動ボタン部の裏面にスイッチ操作部を設け、可動ボタン部と連動してシートスイッチを押すことにしたものである。
【００１０】
これによって、スイッチ操作部の構造を簡単にすることができる。
【００１１】
また、本発明の冷蔵庫のスイッチ装置は、スイッチ外郭部を、ケースＡと、ケースＢで箱型に組み立てたものである。
【００１２】
これによって、簡単にシートスイッチをスイッチ外郭部内に組み立てできる。
【００１３】
また、本発明の冷蔵庫のスイッチ装置は、スイッチ外郭部より、スプリング性のあるスプリング部を可動ボタン部に当設させたものである。
【００１４】
これによって、可動ボタン部を操作しないときは、シートスイッチが誤作動することがないようにできる。
【００１５】
また、本発明の冷蔵庫のスイッチ装置は、スイッチ部を、ドアに取り付け、ドアへの取り付け部に凹部を設けたものである。
【００１６】
これによって、ドア表面からスイッチ部が飛び出すこともなくデザイン的にもすっきりとしたドアを提供できる。
【００１７】
また、本発明の冷蔵庫のスイッチ装置は、ドアの凹部を、ドア表面のパネルの穴と、ケースＣを取り付けることで構成し、スイッチ外郭部の固定部で、取り付けられたものである。
【００１８】
これによって、スイッチ部のドアへの取り付けを簡単に構成することができる。
【００１９】
また、本発明の冷蔵庫のスイッチ装置は、スイッチ部を電気的につなぐリード線と、リード線のジョイント部と、スイッチ外郭部にシートスイッチのジョイント部を設け凹部内にて、結線をするものである。
【００２０】
これによって、スイッチ部だけでなく結線も含みドアの凹部に、コンパクトに収納することができる。
【発明の効果】
【００２１】
本発明の冷蔵庫のスイッチ装置は、シートスイッチを使うことにより、押しボタンスイッチより広範囲で、軽く操作することができる。
【００２２】
また本発明の冷蔵庫のスイッチ装置は、スイッチ部を、スイッチ外郭部と、シートスイッチと、可動ボタン部とし、可動ボタン部の裏面にスイッチ操作部を設けて、シートスイッチを押すことにより、スイッチ操作部の構造を簡単にすることができる。
【００２３】
また本発明の冷蔵庫のスイッチ装置は、スイッチ外郭部を、ケースＡと、ケースＢで箱型に組み立てることにより、簡単にシートスイッチをスイッチ外郭部内に組み立てできる。
【００２４】
また本発明の冷蔵庫のスイッチ装置は、スイッチ外郭部より、スプリング性のあるスプリング部を可動ボタン部に当設させることにより、可動ボタン部を操作しないときは、シートスイッチが誤作動することがないようにできる。
【００２５】
また本発明の冷蔵庫のスイッチ装置は、ドアへの取り付け部に凹部を設けることにより、ドア表面からスイッチ部が飛び出すこともなくデザイン的にもすっきりとしたドアを提供できる。
【００２６】
また本発明の冷蔵庫のスイッチ装置は、ドアの凹部を、ドア表面のパネルの穴と、ケースＣを取り付けることで構成しスイッチ外郭部の固定部で、取り付けられたことにより、スイッチ部のドアへの取り付けを簡単に構成することができる。
【００２７】
また本発明の冷蔵庫のスイッチ装置は、スイッチ部を電気的につなぐリード線と、リード線のジョイント部と、スイッチ外郭部にシートスイッチのジョイント部を設け凹部内にて、結線をすることにより、スイッチ部だけでなく結線も含みドアの凹部に、コンパクトに収納することができる。
【発明を実施するための最良の形態】
【００２８】
請求項１に記載の発明は、冷蔵庫本体と、この本体の前面に回転自在に取り付けたドアと、このドアを開放するための駆動機構と、この駆動機構を起動させるためのスイッチ部と、このスイッチ部の作動にシートスイッチを使うことにより、押しボタンスイッチより広範囲で、軽く操作することができる。
【００２９】
請求項２に記載の発明は、請求項１に記載の発明において、前記スイッチ部は、スイッチ外郭部と、シートスイッチと、可動ボタン部からなり、可動ボタン部の裏面にスイッチ操作部を設け、可動ボタンと連動してシートスイッチを押すことにより、スイッチ操作部の構造を簡単にすることができる。
【００３０】
請求項３に記載の発明は、請求項２に記載の発明において、前記スイッチ外郭部は、ケースＡと、ケースＢで箱型に組み立てられたことにより、簡単にシートスイッチをスイッチ外郭部内に組み立てできる。
【００３１】
請求項４に記載の発明は、請求項３に記載の発明において、前記スイッチ外郭部より、スプリング性のあるスプリング部を可動ボタン部に当設させたことにより、可動ボタン部を操作しないときは、シートスイッチが誤作動することがないようにできる。
【００３２】
請求項５に記載の発明は、請求項２に記載の発明において、前記スイッチ部は、ドアに取り付けられ、ドアへの取り付け部に凹部を設けたことにより、ドア表面からスイッチ部が飛び出すこともなくデザイン的にもすっきりとしたドアを提供できる。
【００３３】
請求項６に記載の発明は、請求項５に記載の発明において、前記凹部は、ドア表面のパネルの穴と、ケースＣを取り付けることで構成しスイッチ外郭部の固定部で、取り付けられたことにより、スイッチ部のドアへの取り付けを簡単に構成することができる。
【００３４】
請求項７に記載の発明は、請求項５に記載の発明において、前記スイッチ部を電気的につなぐリード線と、リード線のジョイント部と、スイッチ外郭部にシートスイッチのジョイント部を設け凹部内にて、結線をすることにより、スイッチ部だけでなく結線も含みドアの凹部に、コンパクトに収納することができる。
【００３５】
以下、本発明の実施の形態について、図面を参照しながら説明する。なお、この実施の形態によってこの発明が限定されるものではない。
【００３６】
（実施の形態１）
図１は本発明の実施の形態１における冷蔵庫の全体図である。図２は本発明の実施の形態１における冷蔵庫のスイッチ装置の平面断面図である。図３は本発明の実施の形態１における冷蔵庫のスイッチ装置の断面図とスイッチ部の分解図である。
【００３７】
図１において、９は本発明の冷蔵庫本体であり、この本体の前面に回転自在に取り付けたドア１０と、このドア１０を開放するための駆動機構１１と、この駆動機構１１を起動させるためのスイッチ部１２である。
【００３８】
図２、３において、スイッチ部１２は、シートスイッチ１３、スイッチ外郭部１４と、可動ボタン部１５からなり、可動ボタン部１５の裏面にスイッチ操作部１６を設け、可動ボタン部１５と連動してシートスイッチ１３を押してスイッチを動作させる。また、スイッチ外郭部１４は、ケースＡ１７と、ケースＢ１８で箱型に組み立てられ、スイッチ外郭部１４より、スプリング性のあるスプリング部１９を可動ボタン部１５に当設させる。スイッチ部は、ドアに凹部２０に取り付けられ、凹部２０は、ドア１０表面のパネルの穴２１と、ケースＣ２２で構成し、スイッチ外郭部１４の固定部２３により保持される。スイッチ部１２を電気的につなぐリード線２４と、リード線のジョイント部２５と、スイッチ外郭部１４にシートスイッチのジョイント部２６を設け凹部２０内にて、結線をする。
【００３９】
以上のように構成された冷蔵庫のスイッチ装置について、以下その動作、作用を説明する。
【００４０】
まず、冷蔵庫本体９と、この本体の前面に回転自在に取り付けたドア１０と、このドア１０を開放するための駆動機構１１と、この駆動機構１１を起動させるためのスイッチ部１２と、このスイッチ部１２の作動にシートスイッチ１３を使うことにより、押しボタンスイッチのようにボタン部の限られた範囲で動作させないといけないという制約もなく、スイッチ部１２の大きさ形などに制約されず、より広範囲で、しかもシートスイッチ１３の特性を生かし軽く操作することができる。
【００４１】
また、スイッチ部１２は、スイッチ外郭部１４と、シートスイッチ１３と、可動ボタン部１５からなり、可動ボタン部１５の裏面にスイッチ操作部１６を設け、可動ボタン部１５と連動してシートスイッチ１３を押すことにより、スイッチ部１２の大きさ形などに制約されず、スイッチ操作部１６の形状を変えるだけで、スイッチ部１２を構成することができ、スイッチ操作部１６の構造を簡単にすることができる。
【００４２】
また、スイッチ外郭部１４を、ケースＡ１７と、ケースＢ１８で箱型に組み立てることにより、簡単にシートスイッチ１３をスイッチ外郭部１４内に組み立てできる。
【００４３】
また、スイッチ外郭部１４より、スプリング性のあるスプリング部１９を可動ボタン部１５に当設させることにより、可動ボタン部１５を操作しないときは、常にシートスイッチ１３の動作方向と反対に可動ボタン部１５を押し上げることができ、シートスイッチ１３がスイッチ操作部１６に接触して、誤作動することがないようにできる。
【００４４】
また、スイッチ部１２を、ドア１０に取り付け、ドア１０への取り付け部に凹部を設けることにより、ドア１０表面からスイッチ部１２が飛び出すこともなくデザイン的にもすっきりとしたドア１０を提供できる。
【００４５】
また、ドアの凹部２０を、ドア表面のパネルの穴２１と、ケースＣ２２を取り付ける構成として、スイッチ外郭部１４の固定部２３で、取り付けることにより、スイッチ部１２をパネルの穴２１に簡単に引っ掛けるなどドア１０への取り付けを簡単に構成することができる。
【００４６】
また、スイッチ部１２を電気的につなぐリード線２４と、リード線のジョイント部２５と、スイッチ外郭部１４にシートスイッチのジョイント部２６を設け凹部２０内にて、結線をすることにより、スイッチ部１２だけでなく結線部も含めてドアの凹部２０に、コンパクトに収納することができデザイン的にもすっきりとしたドア１０を提供できるものである。
【産業上の利用可能性】
【００４７】
以上のように、本発明にかかる冷蔵庫のスイッチ装置は、シートスイッチを使い押しボタンスイッチより広範囲で、軽く操作するとともに、ドア取り付け面に凹形状を形成して、スイッチ部が飛び出すこともなくデザイン的にもすっきりとしたドアを提供することが可能となるので、温蔵庫等スイッチ装置の用途にも適用できる。
【図面の簡単な説明】
【００４８】
【図１】本発明の実施の形態１における冷蔵庫の全体図
【図２】本発明の実施の形態１における冷蔵庫のスイッチ装置の平面断面図
【図３】本発明の実施の形態１における冷蔵庫のスイッチ装置の断面図とスイッチ部の分解図
【図４】従来の冷蔵庫の全体図
【図５】従来の冷蔵庫のスイッチ装置の分解図
【符号の説明】
【００４９】
９    冷蔵庫本体
１０    ドア
１１    駆動機構
１２    スイッチ部
１３    シートスイッチ
１４    スイッチ外郭部
１５    可動ボタン部
１６    スイッチ操作部
１７    ケースＡ
１８    ケースＢ
１９    スプリング部
２０    凹部
２１    パネルの穴
２２    ケースＣ
２３    固定部
２４    リード線
２５    リード線のジョイント部
２６    シートスイッチのジョイント部
【図１】
2006064243.tif 000003
【図２】
2006064243.tif 000004
【図３】
2006064243.tif 000005
【図４】
2006064243.tif 000006
【図５】
2006064243.tif 000007